(57)【特許請求の範囲】
【請求項１】
便器のボウル最下部の排出口の下に傾斜管の内壁が開口していて、なおかつ、ボウルの排出口と接続してボウル前方に向かって下方に傾斜する傾斜管と、傾斜管と接続して上方へ延びる上昇管と、上昇管と接続して下方へ延びる下降管を持ち、下降管は下方に配管されて「上昇管の最下部の水溜まり」の底より低い位置で下水配管と接続されているから、フラッシュ洗浄水に押されて汚物液が上昇管の最高部を越えると、サイフォン現象で汚物液は下降管を下って下水配管に押し流され、下水配管は下水本管に接続されていて汚物液を自由排出する水洗トイレにおいて、
臭い止め水層の溜水が、「上昇管の最下部の水溜まり」の底を下レベルとして、また、下降管の頂点を通る水平線を上レベルとする、該、上下レベルの間の配管内に水を溜めて、傾斜管の下方先端が、該、臭い止め水層の溜水に水没している形態で下水管からの汚臭の逆流を防止しており、フラッシュ洗浄の度に新鮮な水に更新する形態と、ボウル前方に設けられた主洗浄水放出口の先端Ｂからの垂下線と傾斜管内壁底との交点をＣとすると、前記、溜水の上レベルの水平線が傾斜管の内壁底と交差する交点Ａが交点Ｃより下方にある位置関係の配管構造を特徴とする「跳ね返り水」の無い「臭い止め構造」。
【請求項２】
請求項1記載の「跳ね返り水」の無い「臭い止め構造」を有するフラッシュ洗浄型水洗トイレにおいて、主洗浄水供給配管と均一洗浄水供給配管が便器のボウル縁周部のリムの外または壁の中に配管されており、トイレ使用者が便座に座ると、便器上縁周部リム内部に配置されている均一洗浄水供給配管から均一洗浄水が放出開始され、ボウルの内壁表面全体を間欠又は連続に洗浄水を流しながら座位の小便や大便を便器の排出口に向けて排便するプロセスで、ボウル排出口の直下の傾斜管内壁に大便の接触痕が付着しないか、または、付着してもフラッシュ洗浄で剥離洗浄し易くなるように傾斜管の表面にごく浅い水深の膜を形成しておき、ビデ洗浄開始か、お尻洗浄開始の指令スイッチか、あるいは、フラッシュ洗浄スイッチまたはフラッシュノブをＯＮすると前記、均一洗浄水の流れが停止するプロセスシーケンスを持ち、「臭い止め構造」の溜水の上レベルの水平線が傾斜管の内壁底と交差する交点Ａよりも上部の傾斜管内壁底の表面が、大便の大きさに比べると、ごく浅い水深の水で覆われていて、大便や小便が落下して小さな跳ね返り水があっても落下開始点に戻ってくることのないように、水が流れている面が曲面形状をしている傾斜管内壁であって、排便時の大便と、立位の小便が、該、傾斜管内壁に接触落下して、その後に、傾斜管の傾斜に沿って「上昇管の最下部の水溜り」に滑り落ち、一時的に汚物と汚水が「上昇管の最下部の水溜まり」内に貯まる構造を持ち、
フラッシュ洗浄レバーを操作したり、または、フラッシュ洗浄スイッチをＯＮすると、肛門部からの垂下線と傾斜管内壁底との交点Ｆを中心として、便器の主洗浄水放出口の先端Ｂからの水平線とボウル内壁との交点をＤとしたとき、主洗浄水供給配管から供給された主洗浄水が、前記、Ｃ〜Ｆ〜Ｄの領域の線上において、上下左右に拡がって噴き出すように開口した主洗浄水放出ノズルユニットがボウルの内壁内に埋め込まれて配置されており、
トイレプロセスが終了すると、フラッシュ洗浄水が放出され、大量の洗浄水が主洗浄水放出ノズルから前記、大便の接触痕が付着しているＣ〜Ｆ〜Ｄの領域を目がけて放出して大便の接触痕を洗い流し、
大量の洗浄水が、汚物液を「上昇管の最下部の水溜まり」から上昇管に押し上げ、上昇管の最高部と下降管の頂点を汚物液が越えると、下降管の下部末端が「上昇管の最下部の水溜まり」の底よりも低い位置で下水配管を経て下水管に接続されているから、大量の洗浄水に押された汚物液は、内面に凹凸面の粉砕部を有している下降管に送られると、汚物と、使用済みトイレットペーパーと、洗浄水がサイフォン現象で勢いよく下降管を流れ下って汚物を粉砕し、さらに下水本管に排出する汚物排出経路とトイレシーケンスを持つ特徴を持っている「跳ね返り水」の無い「臭い止め構造」を持つフラッシュ洗浄型水洗トイレ。
【発明の詳細な説明】
【技術分野】
【０００１】
本発明は、排便時の「跳ね返り水」の無い「臭い止め構造」を持つフラッシュ洗浄型水洗トイレに関する。
【背景技術】
【０００２】
排便時に便器のボウルに溜めている「臭い止めのための水層」の水が跳ね返って臀部を汚すことや、立位の小便で便器周辺を汚染することは不快であり、不衛生である。また、トイレ使用者がノロウイルスなどの感染性病原菌の保菌者だったら、感染性病原菌の汚染と蔓延の原因ともなる水洗トイレに関する欠陥を含んでいる社会的問題である。
かかる事実に鑑み、水洗トイレを使用した時、「跳ね返り水」の無い、快適で、なおかつ衛生的な「臭い止め構造」が長年に渡り望まれてきたが、未だ決定的な方式が開発されていない。
【先行技術文献】
【特許文献】
【０００３】
【特許文献１】特開昭５６−３４８３４号
【特許文献２】実公  昭５８−３９０８号
【特許文献３】特開昭６３−２７７３３０号
【特許文献４】特開昭５８−１５３８３４号
【特許文献５】実開平５−１０５７３号
【特許文献６】実登３００３５８０号
【特許文献７】特開平１０−５４０６８号
【特許文献８】特許第６６０１７８６号
【非特許文献】
【０００４】
【非特許文献１】国立感染研究所感染症情報センター２０１２年４月１０日  掲載「従事者衣服からノロウイルスを検出した集団食中毒事例についてー長野県」http://www.nih.go.jp/niid/ja/norovirus-m/norovirus-iasrs/1837-pr3871.html
【非特許文献２】http://elib.bliss.chubu.ac.jp/webopac/bdyview.do?bodyid=XC10101313&elmid=Body&fname=011_Mizutani.pdf「液滴の静止水面への落下」水谷正和  中部大学機械・生産機械工学科   August 30.1977
【非特許文献３】www.kochi-ct.ac.jp/files/uploads/水滴の水面衝突に伴うミルク冠、気泡、水柱の形成・発達と衝突音の解析.pdf西森光亮＊3・横山有太＊4・高田 拓＊4Relationship between milk crown formation, bubble, water column, and sound of waterdrop impactWakana ARIOKA, Ryuto HASHIMOTO, Akari OKUBO, Soh KOMATSU, Kosuke NISHIMORI, Yuta YOKOYAMA and Taku TAKADA
【発明の概要】
【発明が解決しようとする課題】
【０００５】
下水管からの汚臭の逆流を防ぐために、水層を利用して臭い止めしている従来の「臭い止め構造」を持つ、フラッシュ洗浄型水洗トイレには以下に示す課題がある。
すなわち、排便時に大便を水層に落下した時に「跳ね返り水」が臀部に掛かったり、立位の小便を放尿すると便器周りを「跳ね返り水」で汚染し、不衛生になる。トイレ使用者が感染性病原菌の保菌者である場合には、汚染と蔓延の原因にもなっている。
【課題を解決するための手段】
【０００６】
本願の解決手段は、大便を落下させる位置を、「臭い止め構造」の深い水深の水溜りではなく、ごく浅い水深の水層を形成している曲面傾斜管の内壁面に接触落下させることにより、臀部にまで跳ね上がる「跳ね上がり現象」を防止した。
また、大便が接触落下する時に付着する大便の接触痕が付着しないか、付着してもフラッシュ洗浄水流で容易に剥離洗浄できるように、排便プロセス中は便器ボウルに間欠的、または、連続的に洗浄水を流すプロセスシーケンスや、大便の接触痕を洗い落とすフラッシュ洗浄水の吹き出しノズルの形状と構造を工夫して課題を解決した。
【発明の効果】
【０００７】
排便時の「跳ね返り水」は発生せず、立位の小便プロセスにおいても「跳ね返り水」は発生することは無くなった。そのため、トイレ使用者が感染性病原菌の保菌者であっても、病原菌の汚染を拡大し、蔓延することは無くなった。
【図面の簡単な説明】
【０００８】
【図１】（代表図）  本願による「跳ね返り水」の無い、「臭い止め構造」を適用した水洗トイレの断面概念図
【図２】従来の臭い止め構造を有する水洗トイレの断面概念図
【図３】「跳ね返り水」の無い、「臭い止め構造」の要部断面詳細説明図図中記号の簡単な説明を下記に示す。Ａ点は、臭い止め水層の溜水の上レベル水平線Ｈが、傾斜管２３の内壁底１２と交差する交点。Ｂ点は、フラッシュ主洗浄水の放出口の先端。Ｃ点は、主洗浄水の放出口の先端Ｂからの垂下線と、傾斜管の内壁底１２との交点。Ｄ点は、主洗浄水放出口Ｂの水平線とボウル内壁との交点。Ｅ点は、便座穴の後端３９からの垂下線と傾斜管底１２との交点。Ｆ点は、肛門位置の垂下線２５と傾斜管底１２の交点。Ｇ点は、傾斜管２３が水没している末端。Ｈは、下降管１７の頂点２２の水平線で、臭い止め水溜りの上レベル。
【図４】本願による、水洗トイレの便器上部から見た平面説明図
【図５】フラッシュ洗浄の主洗浄水ノズルユニットの側面断面拡大概念図
【図６】フラッシュ洗浄の主洗浄水ノズルユニットの平面拡大概念図
【図７】本願の「臭い止め構造」を適用したトイレの全体プロセスシーケンス
【発明を実施するための形態】
【０００９】
本願を実施するにあたり、従来型の、ビデ洗浄と、お尻洗浄と、温風乾燥の手段を備えたフラッシュ洗浄型水洗トイレにおいて、本願になる新規の「臭い止め構造」と、フラッシュ洗浄の広角主洗浄水放出ノズルと、便器上縁部のリムに均一洗浄水放出ノズルを備えて間欠的にあるいは連続的にボウル全体に水流を流し、ボウルに続く傾斜管に浅い水深の水層を形成する手段を開発して、トイレプロセスシーケンスをマイコンで制御する方式の水洗トイレを開発することである。
【実施例】
【００１０】
以下に本願の実施例を開示する。
第1に、跳ね返り水を生じない「臭い止め構造」を開発し、第2に、それを用いたフラッシュ洗浄型水洗トイレを開発した例を説明する。
【００１１】
まず、従来型の水洗トイレの問題点を明らかにすると、図２に示すように、従来型の「臭い止め構造」では、便器のボウル８の中程までの深い水深で「臭い止め構造」の水層１４が溜められていて、排便時にトイレ使用者の肛門から大便の落下、あるいは、立位の小便プロセスにおいて高い位置から尿水を落下すると、「臭い止め構造」の水深の深い水層１４に直接落下して汚水の「跳ね返り現象」が起きている。
排便時に便器のボウル８に溜められている汚染水が臀部に跳ね返ると不快であり、不衛生である。
【００１２】
また、非特許文献１に示した日本感染症研究所の長野県の食中毒蔓延の報告に「トイレ使用者の袖口に高濃度のノロウイルスの菌体が存在していた」とあり、筆者はこれこそ排便時に臀部に便器のボウルからの跳ね返り汚水が付着し、排便後にお尻をトイレットペーパーで拭く時に、臀部に着いた跳ね返り汚水が腕の袖口に付着し、高濃度の感染性病原菌体が衣服を介して２次感染し、蔓延したのでないかと推定している。
【００１３】
従来の水洗トイレにおける「臭い止め構造」では、便器のボウル８の肛門の真下に深い水層１４が溜められている構造になっているのが通例である。
従って排便時に大便が臭い止め水層１４に直接落下して、水中に大便が水没したり、立位の小便プロセスで尿水を高い位置から臭い止め水層の水面１４に落下させると、水面を大きく波打たせて、汚水が便器周辺に飛び散ったり、臀部に汚水が跳ね返る現象が起きている。
【００１４】
一般に、静水面に水滴が落下して水面にミルク冠が観察される現象は知られており、非特許文献２及び文献３でも「水面の上部から水滴や剛球を落下して深い水層に落ちる様子」を、高速度写真を解析して調査報告している。
また、「連続的に水柱状に水面に落下させる」時の跳ね返り水の様子についても、水深、落下高度、水面と油面でも実験観察して、報告している。
【００１５】
以上の非特許文献による現象解析から理解できることは、
１．   落下物又は液滴が水面に接すると、衝撃により跳ね返り水は横斜め上方向に円周から膜状に飛び散り、「冠状」の跳ね上がり水膜を形成する。冠状の水膜の先端には微小水滴が分離して飛び散る。
２．   水面の水は衝突の衝撃により同心円状に横方向に排除され、落下物又は液滴が水中に入り込むと、深さ方向に半球状の窪み（気泡）を水面近くに形成する。
３．   落下物又は液滴が水没すると窪みを作ってミルク冠は崩れると、排除された水は再び落下点に集まって来る。
４．   落下開始点の高さが水面から高いと、水面において落下速度が速くなり排除水の量が多くなり、同心円状に排除する窪みの半径が大きく、深くなることから、落下点の中心に戻る求心力が強くなって盛り上がり水のエネルギーが大きくなる。
５．   しかし、落下開始点の高さがある高さになると、跳ね上がり高さはほぼ一定になり、それ以上に落下開始点の高さを高くしても跳ね上がり高さの増加量は少なくなる。
６．   その時、ミルク冠が崩れ排除された水が半球状の円周から落下点の中心に向かって戻ってくるから、水は中心点で衝突して盛り上がり、上向き垂直方向に跳ね上がる力を得て「水柱状」に立ち上がる現象となる。
７．   「水柱状」の先端では「水滴」が分離して、さらに高く上昇する。
８．   ミルク冠の高さ、気泡（窪みの深さ）、水柱の高さは落下高度が高くなる（エネルギーが大きくなる）と増加する。
９．   しかし、ミルク冠の最大高さ、水中の気泡深さ、跳ね返り水の水柱の高さは水深に依らずほぼ一定である。
１０．  １ｍｍ程度の浅い水深では、水深３０ｍｍのミルク冠の高さとほとんど変わらないが、水柱の高さは水深３０ｍｍの場合の４５％程度で低くなる。
ことなどが解析されている。
【００１６】
以上の報告により、以下の現象が考えられる。
１．   水柱から分離した水滴は高く跳ね上がってトイレ使用者の臀部にまで達する「跳ね上がり水」を形成していると考えられる。
２．   また、落下物が水没した場合には、落下物の体積が大きいほど、半球状の排除水量は多くなる。その結果、求心戻り水量が多くなるから、垂直に跳ね上がる水の量は多くなり、跳ね上がる高さも高くなり、水柱の先端から分離する水滴も高く飛ぶことが考えられる。
３．   逆に、落下物の大きさに比べて水深が極めて浅い「１〜２ｍｍの膜状や吸着水の場合」や、落下物の大きさに比べて水深が浅い場合で、落下物が水没しない場合には斜め方向や冠状に跳ね返り水は飛ぶが、容器壁にエネルギーが吸収されて水柱が跳ね上がる高さは低くなり、落下開始点に反射して戻る「跳ね返り水」は生じ無い。
また、水深が極めて浅い場合には、容器（器壁）の形状にも影
響されて、跳ね返り水が器壁の角度に応じた角度で飛び出す。
４．落下物がトイレ使用者の大便であっても、立位の小便であっても上記と同様の現象が起きると考えられる。
【００１７】
この水柱から分離して、跳ね上がる水滴の上方に飛び出すエネルギーは落下高度、落下物の体積が大きいと相当大きくて、
大便を落下して水没する場合はトイレ使用者の臀部にまで到達する原因となっている。また、水深が深いと立位の小便では便器の外まで跳ね返ることが報告書から読み取れる。
【００１８】
以上の「跳ね返り水」の原因を考慮して、「跳ね返り汚水」を発生させないための「臭い止め構造」の要点は、「深い水溜りに大便や小便を直接落下させない」ことである。
【００１９】
図３の要部詳細説明図と図４の便器上部から見た説明図に示すように、便座３のお尻を置く穴形状が、トイレ使用者が便座３に座り、便座穴の後端３９と、主洗浄水放出口の先端Ｂまでの距離の中央辺に肛門の位置２６からの垂下線２５がくるように便座３の穴形状を設計しておき、
臭い止め水層の溜水の上レベル水平線Ｈ１４が、傾斜管２３の内壁底１２と交差する交点Ａとすると、フラッシュ主洗浄水の放出口の先端Ｂからの垂下線が、傾斜管の内壁底１２との交点Ｃより下にある位置関係になっていることが重要である。
【００２０】
すなわち、立位の小便プロセスにおける小便と、排便プロセスでの大便は、ボウル８の排出口１１を通って落下して、「上昇管の最下部の水溜まり」１５に向かって下降傾斜していて、曲面形状の傾斜管２３の内壁で、溜水の深い水深の水層が無い部分に接触落下するようにしておいて、臭い止め水の溜水の水面１４に直接落下することを避ける位置関係なっている。
つまり、Ａ点よりも上の傾斜管内壁底１２には水面１４が達していないので、落下物があっても落下開始点に戻るような「跳ね返り水」は発生しないのである。
また、傾斜管内壁底３０は曲面で、全体的に傾斜している壁面であり、必ず斜めの傾斜面に落下する。しかも浅い水が流れている内壁であるから、大便が落下して壁面に接触（接触落下）すると落下の衝撃は弱められて大便痕は付き難くなる。
排泄落下した大便は傾斜管２３の傾斜に沿って「上昇管の最下部の水溜まり」１５の水層に滑り落ち、一時的に汚物と汚水が「上昇管の最下部の水溜まり」１５の水層に貯まる。

【００２１】
「臭い止め構造」の水層は、下降管１７の頂点２２からの水平線Ｈ１４を水層の上レベルとし、「上昇管の最下部の水溜まり」１５の底を下レベルとする上下レベルの間の配管に水が貯められていて、この水層の中に傾斜管２３の端部Ｇが水没していて、下水管（不記載）からの汚臭が逆流するのを防ぐ臭い止め機能を果たしている。
【００２２】
次に上記本願になる「臭い止め構造」をフラッシュ水の水槽タンク（不記載）または市水供給管（不記載）からフラッシュ洗浄水が得られ、排尿、排便後に温水シャワー洗浄と温風吐出乾燥の装置（不記載）を有する腰掛式水洗トイレに適用した事例を以下に述べる。
上記「臭い止め構造」を水洗トイレに適用し、表面が乾いた便器壁や配管の内壁に大便を落下させる構造にすると、大便が落下した箇所には大便の一部が付着する「大便の付着痕」が便器や配管に付いてしまう課題がある。
【００２３】
その課題のために本願では以下の工夫をして課題を解決した。
大便や立位の小便を落下しても、便器のボウル８や傾斜管内壁底面３０の表面を約１〜２ミリメートル以下の極めて浅い水深の水を流しておいて、しかも、落下物を斜めの角度で、曲面形状を持つ傾斜管２３の内壁底面３０に接触落下させることで、器壁に「大便の接触痕」が付くが、跳ね返り水があっても落下開始点の肛門方向や立位の小便位置に反射しない角度で受け止め、トイレ使用者の臀部や、トイレ便器周辺に飛び散るような「跳ね返り水」を発生しない「臭い止め構造」にして解決した。
「大便の接触痕」は排便後に汚物を流すフラッシュ洗浄できれいに洗い流せるプロセスになっているので問題はない。
【００２４】
図７のプロセスシーケンスで示すように、
トイレ使用者が便座３に座ると均一洗浄水供給管７から洗浄水の放出が開始されると、便器表面に約１〜２ミリメートル以下の水の層を作るために、タイマー（不記載）と電磁弁（不記載）を制御するマイコンで均一洗浄水供給管７から約2秒間洗浄水が流れて、次に約４秒間停止する間欠洗浄水を流して、排便中は器壁表面を水深の浅い水流が流れていて、大便および大便の接触痕と器壁の間に水膜を作っておき、フラッシュ洗浄で大便の接触痕を洗浄し易くしておき、間欠洗浄水を流すプロセスは、座位小便プロセスではビデ洗浄プロセス開始の指令スイッチがＯＮされるか、排便プロセスでは排便プロセスが終了して、次のお尻洗浄プロセス開始の指令スイッチがＯＮされるか、あるいは、フラッシュ洗浄スイッチか、または、フラッシュノブをＯＮすると間欠洗浄水が停止するシーケンスとした。
少量の洗浄水を間欠的に流すのは節水のためであり、極少量の洗浄水を連続に流しておいても良い。
【００２５】
なお、本願の臭い止め構造では、図７のプロセスシーケンスに示したように、立位の小便プロセスでは、図４の便器上部からボウル８の排出口と傾斜管２３の接続線１１の内側に見えている傾斜管の内壁底面３０を目がけて放尿するか、ボウル８の内壁をより強い傾斜面にするか、曲面のデザインにすることで、尿水が貯まらない形状を作り、放尿による跳ね返り水を発生しないようにできる。
【００２６】
したがって、立位の小便プロセス中は間欠洗浄水を必ずしも流す必要は無く、小便が終了したらフラッシュ洗浄をＯＮして洗い流すことで完了する。
【００２７】
一方、排便プロセスでは、間欠洗浄水をボウル８と傾斜管２３に流すことにより、大便が器壁に接触落下して、大便の一部が付着して、フラッシュ洗浄でも落ちない「しつこい大便の接触痕」が便器ボウル８や傾斜管２３に付着することが避けられる。
【００２８】
図４と図３に示すように、便器リム６と便座３のお尻を置く穴形状が、略卵型で、トイレ使用者が便座３に座ると、穴の縁部後端３９と、主洗浄水放出口の先端Ｂとの距離の中央辺に、肛門からの垂下線２５が位置するように便座３の形状を設計しておき、図３の肛門位置の垂下線２５と傾斜管底１２の交点をＦとすると、便座穴の後端３９からの垂下線と傾斜管底１２との交点Ｅと、図３の主洗浄水放出口の先端Ｂからの垂下線が傾斜管内壁の底部１２との交点をＣとすると、大便の落下点は傾斜管底１２の内壁３０でＦ点を中心としてＥ点〜Ｃ点に集中すると仮定できる。
しかし、トイレ使用者が便座３に座る姿勢が変わったり、排便の勢いにより、Ｆ点を中心として大便を垂直下方に落下するばかりでなく、ボウルの排出口１１とその周辺の領域にまで大便が拡がり落下する場合がある。したがって、便器の主洗浄水放出口Ｂからの水平線とボウル内壁との交点Ｄとすると、排便後に大便の接触痕が付いているのはＦを中心としてD〜Ｃの傾斜管内壁底１２ばかりでなく、少なくともボウルの排出口と傾斜管２３が接続している接続線１１までの横拡りを持った領域に付着する可能性が高い。
【００２９】
そこで、図５、図６に示すように、放出口の先端から放水される洗浄水の形状が図3のＣ〜Ｆ〜Ｄ領域に洗浄水が拡がるように、上下に扇形の拡がりを持つ上下広角スリット３４と、横方向に水平拡がり領域を洗浄できる左右広角ノズル２４を組み合わせて主洗浄水が上下左右に拡がるように主洗浄水放出ノズルユニット１０をデザインして、便器ボウルの器壁に埋め込んだ。
このような放出ノズルからの洗浄水流により、ボウル８や傾斜管２３の大便の接触痕が付着している箇所にフラッシュ洗浄水が当たると大便の接触痕は跡形もなくきれいに剥離洗浄される。
【００３０】
また、排便と小便が終了して大量のフラッシュ洗浄水を便器のボウル８に流すと、傾斜管２３を通って「上昇管の最下部の水溜まり」１５に貯められている、汚物と使い終わったトイレットペーパーと汚水が混合した汚物液を押し出して、「臭い止め構造」の上昇管１６を上昇して、下降管１７の頂点２２を越えて、内壁に凹凸面１８を持っている下降管１７をサイフォン現象で一気に駆け下り、膨潤してたっぷりと水分を含んで柔らかくなっている汚物と使用済みのトイレットペーパーは、微細な汚物粒子と、微細な紙繊維に粉砕されて、下水配管１９を経由して下水本管（不記載）に排出される。
【００３１】
以上で「跳ね返り水」の無いフラッシュ洗浄型水洗トイレを実現したが、本願の主旨を生かして、特許６６０１７８６号による排便アシスト吸引式水洗トイレシステムに本願と同様の「臭い止め構造」を適用しても、跳ね返り現象を防止できることは当業者なら容易である。
【産業上の利用可能性】
【００３２】
水層を利用して汚臭の逆流を防止する「臭い止め構造」を持った水洗トイレにおいて、本願の「臭い止め構造」とそれを適用した水洗トイレを使用することで、大便を排便しても「跳ね返り水」は発生せず、快適で、衛生的なトイレ動作が出来る。
食料産業、給食センター、感染性病原菌を保有している患者が多く利用する病院などでは衛生上において本願のトイレは必須であり、早期に普及することが望まれる。
また、種々の移動トイレ等への応用も容易である。
【符号の説明】
【００３３】
１  便器蓋
２  軸受けブロック
３  便座
４  便座クッション
５  便器上縁部
６  便器リム
７  均一洗浄水供給管
８  便器ボウル
９  主洗浄水供給管
１０  主洗浄水放出ノズルユニット
１１  便器ボウル排出口と傾斜管の接続線
１２  傾斜管底
１３  傾斜管末端底Ｇ
１４  臭い止め溜水の水平線Ｈ
１５  上昇管の最下部の水溜まり
１６  上昇管
１７  下降管
１８  粉砕凹凸
１９  下水配管
２０  トイレケーシング
２１  トイレ室床面
２２  下降管頂点
２３  傾斜管
２４  主洗浄水放出左右広角ノズル
２５  肛門位置からの垂下線
２６  肛門位置
２７  主洗浄水放出ノズル先端Ｂ
２８  Ｂ点の水平線とボウル内壁の交点Ｄ
２９  ボウル内壁エッジ線  （主洗浄放出ノズルユニット格納部）
３０  傾斜管内壁底面
３１  主洗浄水放出ノズルとフレキブル管との接続金具
３２  フレキシブル管
３３  主洗浄水供給配管との接続金具
３４  主洗浄水放出上下広角スリット
３５  便座穴
３６  便座穴後端

【要約】      （修正有）【課題】排便時に大便を便器ボウルの「臭い止め水溜り」の水面に落とさずに、臀部に「跳ね返り水」がなく、また、立位の小便でも、便器周辺を汚染しないフラッシュ洗浄型水洗トイレを提供する。【解決手段】大便や、立位の小便を便器の「臭い止め水溜り」に落とさず、水面が到達していない便器ボウル８に続く傾斜管２３内壁に落として、「跳ね返り水」の無い「臭い止め構造」を開発し、それを適用した水洗トイレを実現した。傾斜管内壁に大便の接触痕を付着防止するために、ごく浅い水深の洗浄水層を形成しながら排便することと、フラッシュ洗浄水流を大便の接触痕が付着する可能性の高い領域をめがけて流す洗浄水放出ノズルを開発して課題を解決し、「跳ね返り水」の無い「臭い止め構造」を持つフラッシュ洗浄型水洗トイレを開発した。【選択図】図１【図１】
0006751543.tif 000002
【図２】
0006751543.tif 000003
【図３】
0006751543.tif 000004
【図４】
0006751543.tif 000005
【図５】
0006751543.tif 000006
【図６】
0006751543.tif 000007
【図７】
0006751543.tif 000008